(57)【要約】      （修正有）【課題】浴室床や洗面台、シンク台の排水管、又は医療用の後片付け用作業台の排水管に連結・設置されて、排水管を通した悪臭の逆流現象を防ぎ、排水される廃水を浄化させて水質汚染を防止することができ、及び高価な医療用品が廃水と共に流出されるのを防止する事が出来る排水トラップを提供する。  【解決手段】複数個の係止溝６−１、６−２、６−３、６−４が形成され、内部にパッキング６−５が挿入された蓋６；係止溝に挿入されるように外側面係止顎１０−１、１０−２、１０−３、１０−４が形成され、所定の内側面に“凹”字形の案内ガイドが形成された本体１０；案内ガイドを通してスライドで着脱が可能であり複数個の通水口を有する第１乃至第４隔膜１−２、２−２、３−２、４−２；及び隔膜等に依り区画された第１乃至第５チャンバー１、２、３、４、５を具備する。【選択図】図２
0003109402.tif 000002
【実用新案登録請求の範囲】
【請求項１】
浴室床や洗面台、シンク台の排水管、又は医療用の後片付け用作業台の排水管に連結・設置される排水トラップに於いて、複数個の係止溝が形成され内部にパッキングが挿入された蓋；上記係止溝に挿入されるように外側面各々に係止顎が形成され、所定の内側面に“凹”字形の案内ガイドが形成された本体；上記案内ガイドを通してスライドで着脱が可能であり複数個の通水口を有する第１乃至第４隔膜；及び上記隔膜に依り区画された第１乃至第５チャンバーを具備したことを特徴とする排水トラップ。  
【請求項２】
第１チャンバーは排水管が流入される一側面に雄ねじ部が形成された第１流入口と他の一方側に上記案内ガイドを通してスライドで着脱が可能であり、複数個の通水口を有する第１隔膜と廃水の落水に依る騷音を低減させる緩衝部材を床面に設置し、中央に第２流入口を有する水飛散防止板を所定の高さに設置したことを特徴とする請求項１記載の排水トラップ。  
【請求項３】
第２チャンバーは上記第１隔膜が一側面をなし、床面に複数個の磁石を固定し、他の一方側に上記案内ガイドを通してスライドで着脱可能にし、複数個の通水口を形成した第２隔膜を具備したことを特徴とする請求項１記載の排水トラップ。  
【請求項４】
第３チャンバーは所定の内側面に形成された端末顎に載置させてフィルターの外側部に形成されたねじ孔を通してねじ式に締結するフィルターを設置し、一方側に上記案内ガイドを通してスライドで着脱可能であると同時に、上記フィルターより高い位置に複数個の通水口を有する第３隔膜を具備したことを特徴とする請求項１記載の排水トラップ。  
【請求項５】
第４チャンバーは上記第３隔膜が一側面をなし、一方側に上記案内ガイドを通してスライドで着脱が可能であり、複数個の通水口を有する第４隔膜を具備したことを特徴とする請求項１記載の排水トラップ。  
【請求項６】
第５チャンバーは上記第４隔膜が一側面をなし、他の外側面に雄ねじ部が形成された排水口を具備したことを特徴とする請求項１記載の排水トラップ。  
【請求項７】
上記緩衝部材は、中央部位がふくらんだ丸い形態を有するゴム材質よりなることを特徴とする請求項１記載の排水トラップ。
【考案の詳細な説明】
【技術分野】
【０００１】
本考案は、医療用機器の洗浄器である後片付け用作業台、浴室の洗面台、又はシンク台床の排水管に連結・設置されて、排水管を通して金属、切削研磨材、及びインプラント等、高価な医療用品が紛失するのを防止し、逆流する下水の悪臭や虫等の様な害虫が室内に侵入しないようにする為の排水トラップに関するもので、より詳細には、上記排水トラップを排水管と螺旋式に締結し、本体と隔膜を案内ガイドを通してスライド式に着脱可能にし、設置を容易にし、排水される廃水を浄化させて水質汚染を防止し、さらに、高価な医療用品が廃水と共に流出するのを防止する事が出来る排水トラップに関する。
【背景技術】
【０００２】
一般的に排水トラップは、本体内部に一定量の水が収容された状態、即ち封水構造をなす様にし、排水管を通して逆流する悪臭や虫等の様な害虫が室内に侵入しないようにしている。  
【０００３】
この様な排水トラップは、主に浴室の洗面台、又はシンク台等の排水管に連結・設置されて、これを通して各種生活下水が排水されるようにするのは勿論、下水で発生する悪臭が上記排水管を通して逆流して室内に侵入するのを遮断するようにし、下層の下水管を通して上ってくる虫等の様な害虫の侵入を遮断して快適な室内環境を維持する事が出来るようにしている。  
【０００４】
しかし、従来提供されている排水トラップの場合は、上述した様に単純な封水構造によって悪臭及び虫等が排水管を通して逆流するのを防止する為の構造のみでなされている為に、排水される下水が上記排水トラップを通過する時、排水圧力で医療用金属、切削研磨材、及びインプラント等の高価な医療用品をそのまま流出させてしまう場合があり、莫大な費用損失とそれによる水質汚染のみでなく、異物質の蓄積に起因する排水口の詰り等の問題点が有った。  
【考案の開示】
【考案が解決しようとする課題】
【０００５】
本考案の目的は、排水トラップを排水管と螺旋式に締結し、本体と隔膜を、案内ガイドを通してスライド式に着脱可能にし、設置を容易にして排水される廃水を浄化させて水質汚染を防止し、さらに、高価な医療用品が廃水と共に流出するのを防止することが出来る排水トラップを提供することにある。
【課題を解決するための手段】
【０００６】
上記目的を達成する為に、本考案の排水トラップは、複数個の係止溝が形成され内部にパッキングが挿入された蓋；上記係止溝に挿入されるように外側面各々に係止顎が形成され、所定の内側面に“凹”字形の案内ガイドが形成された本体；上記案内ガイドを通してスライドで着脱が可能であり複数個の通水口を有する第１乃至第４隔膜；及び上記隔膜に依り区画された第１乃至第５チャンバーを具備したことを特徴とする。  
【考案の効果】
【０００７】
本考案の排水トラップに依れば、排水管を通した悪臭の逆流現象を防ぎ、排水される廃水を浄化させて水質汚染を防止することができ、本体の床部に結着されている緩衝部材に依り、排水される廃水の落水に依る騷音を低減させ、第２チャンバーの床面に固定された複数個の磁石はその磁力に依り医療用金属、切削研磨材及びインプラント等高価な医療用品が廃水と共に流出するのを防止することができるという有用な効果を得ることができる。
【考案を実施するための最良の形態】
【０００８】
以下、本考案の実施例が図示された添附図面を参照して本考案を詳細に説明する。
【０００９】
本考案の排水トラップは、図１乃至図４に図示された様に、複数個の係止溝（６−１、６−２、６−３、６−４）が形成され、内部にパッキング（６−５）が挿入された蓋（６）；上記係止溝に挿入されるように外側面各々に係止顎（１０−１、１０−２、１０−３、１０−４）が形成され、所定の内側面に“凹”字形の案内ガイドが形成された本体（１０）；上記案内ガイドを通してスライドで着脱が可能であり複数個の通水口（１−２’、２−２’、３−２’、４−２’）を有する複数の隔膜（１−２、２−２、３−２、４−２）；上記隔膜等に依り区画された複数個のチャンバー（１、２、３、４、５）を具備する。  
【００１０】
上記本体（１０）は一定の大きさを有する四角形状であり、その内部は排水管が流入される一側面に雄ねじ部が形成された第１流入口（１−１）と他の一方側にスライドで着脱が可能であり複数個の通水口（１−２’）を有する第１隔膜（１−２）と、排水される廃水の落水に依る騷音を低減させる緩衝部材（１−３）を床面に設置し、中央に第２流入口（１−４’）を有する水飛散防止板（１−４）を所定の高さに設置した第１チャンバー（１）；上記第１隔膜（１−２）の一側面をなして、床面に複数個の磁石（２−１）を固定し、他の一方側にスライドで着脱可能にし複数個の通水口（２−２’）を有する第２隔膜（２−２）を具備した第２チャンバー（２）；上記第２隔膜（２−２）が一側面をなし、所定の高さにフィルター（３−１）を設置し、一方側にスライドで着脱可能であると同時に上記フィルターより高い位置に複数個の通水口（３−２’）を有する第３隔膜（３−２）を有する第３チャンバー（３）；上記第３隔膜（３−２）が一側面をなし、他の一方側にスライドで着脱が可能であり複数個の通水口（４−２’）を有する第４隔膜（４−２）を具備した第４チャンバー（４）；上記第４隔膜（４−２）が一側面をなし、他の一方側に雄ねじ部が形成された排水口を有する第５チャンバー（５）で区画されている。  
【００１１】
尚、上記本体の所定の内側面に“凹”字形の案内ガイドが形成されてこれを通して上記隔膜等がスライド式に挿入されながら着脱される。  
【００１２】
一方、本体の外側面に形成された係止顎は上記蓋の係止溝に挿入されながらロック  アンド  ロック（Ｌｏｃｋ  ａｎｄ  Ｌｏｃｋ）式に着脱される。  
【００１３】
上記第１チャンバー下端の床部には緩衝部材が嵌入されて結着されるように係止顎（１−５）が形成される。上記緩衝部材は落水に依る緩衝効果を与える為に通常のゴム材質等でなされたパッキングを使用することになり、中央部位がふくらんで丸い形態を維持するようにする。  
【００１４】
上記第１流入口（１−１）は排水管（１１）が挿入され得るように本体（１０）外部の側方向に設置され、尚、上記流入口一側面に雄ねじ部を形成し上記排水管の端部に雌ねじ部を形成した締結部（１１−１）とねじ式に締結されるようにする。  
【００１５】
図３に図示された様に上記隔膜は本体内部の所定部分に形成された“凹”字形案内ガイドを通してスライドで着脱可能にし、所定部分に一定間隔で平行に複数個の通水口を有する。尚、各隔膜等の所定の一側面が固定されて一体になっているか、各隔膜等を独立的に分離可能に設置することができるようにする。  
【００１６】
上記第２チャンバーの磁石は、その磁力に依り金属、切削研磨材及びインプラント等の医療用金属を付着させて、廃水と共に流出するのを防止する。  
【００１７】
上記第３チャンバーのフィルターは所定の内側面に形成された端末顎に載置されてフィルターの外側部に形成されたねじ孔を通してねじ式に締結される。
【００１８】
上記蓋のパッキングは本体と結合する時、圧着力を高めて気密を維持する。
【００１９】
この様に構成された本考案の設置及び使用状態を添附図面図１乃至図４を参照して詳細に説明すると次の様である。  
【００２０】
本考案は、浴室床の排水管や洗面台、シンク台の排水管、又は医療用の後片付け用作業台の排水管が第１流入口で第１流入口の雄ねじ部と上記排水管の端部に雌ねじ部を形成した締結部（１１−１）に依りねじ式に締結されるようにし、医療用機器の洗浄器である後片付け用作業台、浴室の洗面台、又はシンク台等で使用された廃水が上記第１・２流入口を通して第１チャンバーに落水されると同時に第１チャンバーの床部に設置された緩衝部材に依り騷音が低減され、落水時、水飛散は水飛散防止板に依り阻止され、第１チャンバーに水がある程度満ちるようになると水飛散防止板の第２流入口に流れあふれて第１隔膜の通水口を通して第２チャンバーに送られる。  
【００２１】
上記第２チャンバーに集まった廃水中の医療用金属等は第２チャンバーの床面に固定された磁石の磁力に依り磁石に付着され、残りの廃水は第２隔膜の下部に設置された通水口を通して第３チャンバーに送られる。  
【００２２】
上記第３チャンバーに集まった廃水は、所定の高さに設置されたフィルター（３−１）に依り異物質等を漉し出し、上記フィルターより高い位置に有る第３隔膜の通水口（３−２’）を通して第４チャンバーに送られる。  
【００２３】
上記第４チャンバーに集まった廃水は、水の位置が第４隔膜の通水口に至るとその通水口を通して第５チャンバーに送られ、上記第５チャンバーに集まった廃水は排水口にねじ式に締結された排水管を通して抜け出るようになる。  
【００２４】
尚、排水トラップの掃除時には蓋を本体より分離した後、隔膜を本体内部の所定部分に形成された“凹”字形案内ガイドを通してスライドで分離される。  
【産業上の利用可能性】
【００２５】
以上の様に本考案の排水トラップに依れば、排水管を通した悪臭の逆流現象を防ぎ、排水される廃水を浄化させて水質汚染を防止することができ、本体の床部に結着されている緩衝部材に依り、排水される廃水の落水に依る騷音を低減させ、第２チャンバーの床面に固定された複数個の磁石はその磁力に依り医療用金属、切削研磨材及びインプラント等高価な医療用品が廃水と共に流出されるのを防止することができるという有用な効果を得ることができるため、産業界に寄与すること大である。  
【図面の簡単な説明】
【００２６】
【図１】本考案に従う排水トラップの使用状態を示す構成図である。
【図２】本考案に従う排水トラップの設置状態を示す構成図である。
【図３】本考案に従う排水トラップの分解斜視図である。
【図４】本考案に従う排水トラップの一部結合断面図である。
【符号の説明】
【００２７】
１、２、３、４、５  ：  第１乃至第５チャンバー  
１−１  ：  第１流入口  
１−２、２−２、３−２、４−２  ：  第１隔膜乃至第４隔膜  
１−３  ：  緩衝部材  
１−４  ：  水飛散防止板  
２−１  ：  磁石  
１−２’、２−２’、３−２’、４−２’  ：  通水口  
３−１  ：  フィルター  
６  ：  蓋  
６−１、６−２、６−３、６−４  ：  係止溝  
６−５  ：  パッキング  
１０  ：  本体  
１０−１、１０−２、１０−３、１０−４  ：  係止顎  
【図１】
0003109402.tif 000003
【図２】
0003109402.tif 000004
【図３】
0003109402.tif 000005
【図４】
0003109402.tif 000006